(57)【要約】【課題】安全性が高く、かつ、浴槽開口部に対して容易かつ確実に所定の位置に施蓋をおこなえることを可能とした浴槽蓋を提供する。【解決手段】浴槽10の開口部上端縁13の内側に係止可能な突出部16を有する位置決め具６を、蓋本体11の裏面３の周縁沿いに複数個設けている。【選択図】図２
2008194087.tif 000002
【特許請求の範囲】
【請求項１】
浴槽（10）の開口部上端縁（13）の内側に係止可能な突出部（16）を有する位置決め具（６）を、蓋本体（11）の裏面（３）の周縁沿いに複数個設けたことを特徴とする浴槽蓋。
【請求項２】
浴槽（10）の開口部上端縁（13）の内側に係止可能な突出部（16）を有する位置決め具（６）を、蓋本体（11）の裏面（３）の周縁沿いに複数個設け、
さらに、上記蓋本体（11）は、上面板（４）と下面板（５）と、周縁エッジモール（９）と発泡樹脂の内部断熱層（15）を備え、
上記位置決め具（６）は、異形突隆部（17）を突出部（16）の上面（18）に有すると共に、該突隆部（17）の上面（19）からねじ孔（20）が形成され、
そして、上記下面板（５）の周縁沿いに、上記突隆部（17）に対応する異形の貫孔（14）を設けて、該貫孔（14）に上記位置決め具（６）の上記突隆部（17）が挿入され、ねじ部材（８）が上記ねじ孔（20）に螺着して上記位置決め具（６）が上記下面板（５）に固着され、該ねじ部材（８）の上端が上記発泡樹脂の内部断熱層（15）と密着していることを特徴とする浴槽蓋。
【請求項３】
浴槽（10）の開口部上端縁（13）の内側に係止可能な突出部（16）を有する位置決め具（６）を、蓋本体（11）の裏面（３）の周縁沿いに複数個設け、
さらに、上記蓋本体（11）は、上面板（４）と下面板（５）と、周縁エッジモール（９）と発泡樹脂の内部断熱層（15）を備え、
上記位置決め具（６）は、異形突隆部（17）を突出部（16）の上面（18）に有すると共に、該突隆部（17）の上面（19）からねじ孔（20）が形成され、
上記突隆部（17）に外嵌される縦断面鍔付帽子型のスペーサ（７）を介して、ねじ部材（８）が上記ねじ孔（20）に螺着して上記位置決め具（６）が上記下面板（５）に固着され、上記スペーサ（７）の鍔部（12）が上記下面板（５）の上面（５ａ）を押圧状として、上記ねじ部材（８）の上端及び上記スペーサ（７）が上記発泡樹脂の内部断熱層（15）と密着していることを特徴とする浴槽蓋。
【請求項４】
蓋本体（11）が施蓋状態で上記開口部上端縁（13）に密に接触するように凹曲面状とした請求項１，２又は３記載の浴槽蓋。
【請求項５】
上記突出部（16）の硬度を、浴槽（10）の開口部上端縁（13）の硬度よりも、低く設定した請求項１，２，３又は４記載の浴槽蓋。
【発明の詳細な説明】
【技術分野】
【０００１】
本発明は、浴槽蓋に関する。
【背景技術】
【０００２】
従来の浴槽蓋は、浴槽開口部上端縁に蓋を置くだけのものが一般的であり。浴槽蓋の目的としては、浴槽に貯めた湯の保温や、湯沸かしや追い焚き時に施蓋による保温で湯の上温効果を助け、ガスや電気といったエネルギーの消費を削減させる役目を担っていた。また、施蓋をすることで、ゴミや虫や浴室の天井からの水滴または汚れが浴槽内部に落ち込むのを防止していた。（特許文献１参照）
【特許文献１】特開平８−１４０８７５号公報
【発明の開示】
【発明が解決しようとする課題】
【０００３】
解決しようとする課題は、浴槽蓋の位置決めが不十分な置き方（施蓋の状態）によっては、大人（又は子供）が不意に手を突いた場合、浴槽蓋が傾倒して浴槽内へ脱落する危険性があった。また、開口部と浴槽蓋の間に隙間が生じ、浴槽に貯めた湯の保温や、湯沸かし（追い焚き）効率の向上（保温効果による）を損なうと共に、虫やゴミや天井からの水滴や汚れが浴槽内に落ち込んでいた。また、浴槽蓋を置く際に浴槽開口部上端縁に浴槽蓋外周縁の係止が僅かだと浴槽内に浴槽蓋が落下し、浴槽に貯めた湯を汚していた。さらに、浴槽開口部上端縁が隆起してヘッドレストや背もたれ等の凹凸曲部を有する浴槽での浴槽蓋の位置決めは、特に容易ではなかった。つまり、浴槽蓋の位置決めが不十分なことにより、浴槽蓋本来の目的を充分に果していないことがあった。
【０００４】
そこで、本発明は、安全性が高く、かつ、浴槽開口部に対して、容易かつ確実に隙間なく施蓋をおこなえることを可能とした浴槽蓋の提供を目的とする。
【課題を解決するための手段】
【０００５】
そこで、上記目的を達成するために、本発明に係る浴槽蓋は、浴槽の開口部上端縁の内側に係止可能な突出部を有する位置決め具を、蓋本体の裏面の周縁沿いに複数個設けたものである。
【０００６】
また、本発明に係る浴槽蓋は、浴槽の開口部上端縁の内側に係止可能な突出部を有する位置決め具を、蓋本体の裏面の周縁沿いに複数個設け、さらに、上記蓋本体は、上面板と下面板と、周縁エッジモールと発泡樹脂の内部断熱層を備え、上記位置決め具は、異形突隆部を突出部の上面に有すると共に、該突隆部の上面からねじ孔が形成され、そして、上記下面板の周縁沿いに、上記突隆部に対応する異形の貫孔を設けて、該貫孔に上記位置決め具の上記突隆部が挿入され、ねじ部材が上記ねじ孔に螺着して上記位置決め具が上記下面板に固着され、該ねじ部材の上端が上記発泡樹脂の内部断熱層と密着したものである。
【０００７】
また、本発明に係る浴槽蓋は、浴槽の開口部上端縁の内側に係止可能な突出部を有する位置決め具を、蓋本体の裏面の周縁沿いに複数個設け、さらに、上記蓋本体は、上面板と下面板と、周縁エッジモールと発泡樹脂の内部断熱層を備え、上記位置決め具は、異形突隆部を突出部の上面に有すると共に、該突隆部の上面からねじ孔が形成され、上記突隆部に外嵌される縦断面鍔付帽子型のスペーサを介して、ねじ部材が上記ねじ孔に螺着して上記位置決め具が上記下面板に固着され、上記スペーサの鍔部が上記下面板の上面を押圧状として、上記ねじ部材の上端及び上記スペーサが上記発泡樹脂の内部断熱層と密着したものである。
【０００８】
また、上記蓋本体が施蓋状態で上記開口部上端縁に密に接触するように凹曲面状としたものである。
また、上記突出部の硬度を、浴槽の開口部上端縁の硬度よりも、低く設定したものである。
【発明の効果】
【０００９】
本発明の浴槽蓋によれば、浴槽開口部に容易で確実に所定の位置に施蓋できる。また、浴槽の開口部上端縁に位置決め具が係止されているので、大人や子供が不意に浴槽蓋に手を突いても、浴槽蓋が傾倒して浴槽内へ脱落せず安全である。また、浴槽開口部上端縁への浴槽蓋の配置作業中に浴槽蓋を浴槽内へ誤って落下させるのを防止できる。また、浴槽内の湯を清潔に保つと共に、確実に保温するので追い焚きや熱湯の注ぎ足しの手間を軽減させ、エネルギ（電気またはガス）の節約がより確実にできる。また、湯沸かし（追い焚き）の際も確実に施蓋できるので、湯の上温を助けて、省エネルギ効果をより確実に得ることができる。しかも、浴槽開口部上端縁が隆起してヘッドレストや背もたれ等の凹凸曲部を有する浴槽であっても同様の効果が確実に得られる。
また、位置決め具はねじ部材にて螺着され浴槽蓋の内部と密着しているので、脱落せず安全である。また、ねじ部材は浴槽蓋外面に露出しないので、ねじ部材が錆びず清潔である。また、位置決め具の硬度が低いので、浴槽開口部上端縁を損傷せず施蓋できる。
【発明を実施するための最良の形態】
【００１０】
以下、図示の実施の形態に基づき本発明を詳説する。
図１に例示する浴槽10は開口部上端縁13が隆起している。また、浴槽10の長手方向の側面に対して垂直平面視すると、開口部上端縁13は凹曲状に形成されている。  
図１，２及び３に於て、１は本発明に係る浴槽蓋であって、浴槽蓋１は、上端縁13の形状に沿って凹曲面状に形成されている。つまり、図２に示すように浴槽蓋１は、浴槽10に浴槽蓋１を施蓋した状態で浴槽10の開口部上端縁13に密に接触するように凹曲面状とした蓋本体11を備えている。また、浴槽蓋本体11の裏面３の周縁沿いに、浴槽10の開口部上端縁13の内側に当接して係止する位置決め具６を設けている。つまり、浴槽蓋１は、蓋本体11と位置決め具６とで構成されている。
【００１１】
図３と図６に示すように、浴槽蓋１の蓋本体11は、平面視略楕円状の上面板４と、平面視略楕円状の下面板５と、周縁エッジモール９と、発泡樹脂の内部断熱層15を備えている。上面板４は蓋本体11の表面２に露出される上面４ａと、蓋本体11の内部となる下面４ｂを有している。また、下面板５は蓋本体11の裏面３に露出される下面５ｂと、蓋本体11の内部となる上面５ａを有している。また、周縁エッジモール９は上面板４の外周縁部４ｃと下面板５の外周縁部５ｃを差込可能な凹部を長手方向に２つ有している。つまり、蓋本体11は周縁エッジモール９の各々の凹溝を上面板４の外周縁部４ｃと下面板５の外周縁部５ｃに沿って差込みながら周囲を囲むことで、上面板４と下面板５と周縁エッジモール９に囲まれた空間22を形成し、この空間22に周縁エッジモール９に設けられた注入口21からウレタン樹脂を注入発泡して内部断熱層15を成形した構成である。
【００１２】
また、浴槽蓋１の位置決め具６は、下面板５にスペーサ７を介してねじ部材８にて螺着されている。図４と図５に示すように、位置決め具６は、樹脂成型され、半球状の突出部16を有し、半球状の突出部16の上面18から突隆した四角柱状の突隆部17を形成して、この突隆部17の上面19からねじ孔20が形成されている。また、下面板５の周縁部には突隆部17を挿通して回り止め可能な四角形状の貫孔14が設けられている。７はスペーサであって、樹脂成型され、貫孔14に挿通した突隆部17を外嵌する四角形状の凹部23と、下面板５の上面５ａを押圧可能な円形の鍔部12と、ねじ部材８が挿通する貫孔24とを、有する縦断面鍔付帽子型の形状としている。
つまり、下面板５の下面５ｂに半球状の突出部16の上面18を接触状に貫孔14に挿通させた突隆部17に、スペーサ７の凹部23を鍔部12が下面板５の上面５ａに接触状とするように被せ、ねじ部材８をスペーサ７の貫孔24に挿通して位置決め具６のねじ孔20に螺着することで、位置決め具６とスペーサ７とねじ部材８とで下面板５を挟むように螺着可能な構造としている。また、スペーサ７とねじ部材８は蓋本体11の内部空間22内（下面板５の上面５ａ側）にある。なお、位置決め具６を上述のように固着した下面板５と、上面板４と周縁エッジモール９で上述のように空間22を形成し、空間22にウレタン樹脂を注入して発泡させ内部断熱層15を成形することにより、スペーサ７とねじ部材８が内部断熱層15と密着する構造となっている。また、図７（ａ）のように位置決め具６は蓋本体11の裏面３の周縁沿いに二等辺三角形の頂点位置に３つ設けている。  
【００１３】
また、浴槽蓋１は、施蓋状態で位置決め具６が浴槽10の開口部上端縁13の内側に当接して係止可能な位置に下面板５に四角形状の貫孔14を設けると共に、施蓋状態で浴槽蓋１が充分に浴槽10の上端縁13に係止する寸法に設定している。また、下面板５と四角形状の貫孔14は一体状に打ち抜き加工するのが望ましい。
【００１４】
なお、本発明は、設計変更自由であって、図７（ｂ）のように４つ、又は、それ以上の個数の位置決め具６を付設しても良い。また施蓋状態で浴槽10の開口部上端縁13の内側に係止可能であれば、配置は自由である。また、浴槽蓋１は複数枚を一組としても良い。つまり、図７（ｃ）〜（ｆ）のような、短手方向に２分割して、第１の浴槽蓋分割片１ａと第２の浴槽蓋分割片１ｂとした二枚一組の浴槽蓋１や、図７（ｇ）〜（ｊ）のような、短手方向に三分割して第１の浴槽蓋分割片１ａと第２の浴槽蓋分割片１ｂと第３の浴槽蓋分割片１ｃとした三枚一組の浴槽蓋１としても良い。これ以外に、分割数や分割形状は自由である。
【００１５】
また、位置決め具６は一組の浴槽蓋１に複数個設けるとし、図７（ｅ）（ｆ）（ｊ）に示すように一方の浴槽蓋分割片１ａのみに位置決め具６を複数個設けた形態でも良い。また、図７（ｉ）に示すように複数の浴槽蓋分割片１ａ，１ｂに位置決め具６を複数設け、残りの浴槽蓋分割片１ｃに位置決め具６を設けない形態でも良い。ところで、位置決め具６の硬度は、浴槽開口部上端縁13の硬度よりも低く設定する。
【００１６】
また、位置決め具の他の実施の形態として、図８（ａ）に示すように、上面30ａにねじ穴31を形成した短円柱ブロック状部材30をもって、突出部16とすることもできる。この部材30を、下面板５に形成した貫孔34に、ねじ部材33を下面板５の上面５ａから挿通させ、螺着可能な構成として、上述の実施の形態と同様に、図８（ｂ）に示すように、ウレタン樹脂を注入して発泡させ内部断熱層15を成形して、ねじ部材33と内部断熱層15と密着する構造とし、部材30にて突出部16を構成して位置決め具６としても良い。
また、図９（ａ）に示すように、位置決め具を、突出部16となる短円柱部41を有し、短円柱部41の上面41ａからねじ部42を突設させた部材40として、下面板５に形成した貫孔44に、下面５ｂからねじ部42を挿通させて、固着具43に螺着可能な構成として、上述の実施の形態と同様に、図９（ｂ）に示すように、ウレタン樹脂を注入して発泡させ内部断熱層15を成形して、固着具43と内部断熱層15と密着する構造とし、位置決め具６を部材40にて構成するも良い。  
【００１７】
上述した本発明の浴槽蓋の使用方法について説明する。
本発明に係る浴槽蓋１の外形を浴槽10の開口部の形状と一致させやすいように持ち、蓋本体11の裏面３に三つの内のいづれか一つの位置決め具６の半球状の突出部16を、浴槽10の開口部上端縁13の内側に当接させる。次に残り二つの一方の位置決め具６の半球状の突出部16を開口部上端縁13の内側に当接して、残りの他方の位置決め具６の半球状の突出部16が開口部上端縁13の内側となるように浴槽蓋１を開口部上端縁13に置くことで施蓋状態となる。
【００１８】
また、施蓋状態では、位置決め具６が上端縁13の内側にある為、水平方向の位置ズレは位置決め具６と開口部上端縁13のクリアランス程しか移動しない。また、浴槽蓋１の外周は、浴槽10の上端縁13に充分に係止される。つまり、水平方向にクリアランスの寸法だけ移動しても浴槽10の開口部を全て覆った状態になる。また、浴槽蓋１の蓋本体11は施蓋状態で浴槽10の開口部上端縁13と密に接触するように形成されているので、垂直方向の隙間はない。よって、完全に浴槽10の開口部を密閉した状態になり、保温状態となる。さらに、内部断熱層15によって保温状態をより維持する状態となる。
【００１９】
上述のように本発明に係る浴槽蓋は、浴槽10の開口部上端縁13の内側に係止可能な突出部16を有する位置決め具６を、蓋本体11の裏面３の周縁沿いに複数個設けているので、位置決め具６の突出部16を当接して施蓋することで、容易に所定の位置に施蓋ができる。また、浴槽10の開口部上端縁13に位置決め具６が係止されているので、大人や子供が不意に浴槽蓋１に手を突いても、浴槽蓋が傾倒して浴槽内へ脱落せず安全である。また、浴槽開口部上端縁13への浴槽１の施蓋作業中に浴槽蓋１を浴槽内へ誤って落下させるのを防止できる。また、所定の位置に施蓋ができることで、浴槽内の湯を確実に保温でき、追い焚きや熱湯の注ぎ足しの手間を軽減できる。また、保温が確実にできるので、無駄なエネルギ（電気またはガス）の消費を削減できる。また、湯沸かし（追い焚き）の際も確実に施蓋できるので、湯の上温を助けて、省エネルギ効果をより確実に得ることができる。また、確実に所定の位置に施蓋できるので、ゴミや虫や天井からの水滴等の湯を汚す原因から防御できる。
【００２０】
また、上述のように本発明に係る浴槽蓋１は、浴槽10の開口部上端縁13の内側に係止可能な突出部16を有する位置決め具６を、蓋本体11の裏面３の周縁沿いに複数個設け、さらに、蓋本体11は、上面板４と下面板５と、周縁エッジモール９と発泡樹脂の内部断熱層15を備え、位置決め具６は、異形突隆部17を突出部16の上面18に有すると共に、突隆部17の上面19からねじ孔20が形成され、そして、下面板５の周縁沿いに、突隆部17に対応する異形の貫孔14を設けて、貫孔14に位置決め具６の突隆部17が挿入され、ねじ部材８がねじ孔20に螺着して位置決め具６が下面板５に固着され、ねじ部材８の上端が発泡樹脂の内部断熱層15と密着しているので、容易に所定の位置に施蓋ができる。また、浴槽10の開口部上端縁13に位置決め具６が係止されているので、大人や子供が不意に浴槽蓋１に手を突いても、浴槽蓋が傾倒して浴槽内へ脱落せず安全である。また、浴槽開口部上端縁13への浴槽１の施蓋作業中に浴槽蓋１を浴槽内へ誤って落下させるのを防止できる。また、所定の位置に施蓋ができることで、浴槽内の湯を確実に保温でき、追い焚きや熱湯の注ぎ足しの手間を軽減できる。また、保温が確実にできるので、無駄なエネルギ（電気またはガス）の消費を削減できる。また、湯沸かし（追い焚き）の際も確実に施蓋できるので、湯の上温を助けて、省エネルギ効果をより確実に得ることができる。また、確実に所定の位置に施蓋できるので、ゴミや虫や天井からの水滴等の湯を汚す原因から防御できる。また、ねじ部材８が外部に露出しないので、錆びることがなく、本発明品を清潔に保つことができる。また、発泡樹脂の内部断熱層15と密着することで、ねじ部材８が上方へ螺退せず（弛まず）、これによって、位置決め具６の脱落を防止し、安全に使用できる。また、下面板５の異形の貫孔14に位置決め具６の異形突隆部17を挿通して固着することで、螺着時に位置決め具６が回転するのを防止して作業性を向上させると共に、位置決め具６に力を受けた場合に発泡樹脂に密着されたねじ部材８のみで受けないので、強度が増して耐久性が向上する。
【００２１】
また、上述のように本発明に係る浴槽蓋１は、浴槽10の開口部上端縁13の内側に係止可能な突出部16を有する位置決め具６を、蓋本体11の裏面３の周縁沿いに複数個設け、さらに、蓋本体11は、上面板４と下面板５と、周縁エッジモール９と発泡樹脂の内部断熱層15を備え、位置決め具６は、異形突隆部17を突出部16の上面18に有すると共に、突隆部17の上面19からねじ孔20が形成され、突隆部17に外嵌される縦断面鍔付帽子型のスペーサ７を介して、ねじ部材８がねじ孔20に螺着して位置決め具６が下面板５に固着され、スペーサ７の鍔部12が下面板５の上面５ａを押圧状として、ねじ部材８の上端及びスペーサ７が発泡樹脂の内部断熱層15と密着しているので、容易に所定の位置に施蓋ができる。また、浴槽10の開口部上端縁13に位置決め具６が係止されているので、大人や子供が不意に浴槽蓋１に手を突いても、浴槽蓋が傾倒して浴槽内へ脱落せず安全である。また、浴槽開口部上端縁13への浴槽１の施蓋作業中に浴槽蓋１を浴槽内へ誤って落下させるのを防止できる。また、所定の位置に施蓋ができることで、浴槽内の湯を確実に保温でき、追い焚きや熱湯の注ぎ足しの手間を軽減できる。また、保温が確実にできるので、無駄なエネルギ（電気またはガス）の消費を削減できる。また、湯沸かし（追い焚き）の際も確実に施蓋できるので、湯の上温を助けて、省エネルギ効果をより確実に得ることができる。また、確実に所定の位置に施蓋できるので、ゴミや虫や天井からの水滴等の湯を汚す原因から防御できる。また、ねじ部材８が外部に露出しないので、錆びることがなく、本発明品を清潔に保つことができる。また、発泡樹脂の内部断熱層15と密着することで、ねじ部材８が上方へ螺退せず（弛まず）、これによって、位置決め具６の脱落を防止し、安全に使用できる。また、下面板５の異形の貫孔14に位置決め具６の異形突隆部17を挿通して固着することで、螺着時に位置決め具６が回転するのを防止して作業性を向上させると共に、位置決め具６に力を受けた場合に発泡樹脂に密着されたねじ部材８のみで受けないので、強度が増して耐久性が向上する。また、施蓋作業で、位置決め具６の突出部16を当接させるときにかかる力を、下面板５だけで受けずにスペーサ７と異形突隆部17及び、内部断熱層15とで受けるので強度が強くなり、耐久性と品質を向上させることができる。また、スペーサ７を介して固着することで、スペーサ７の表面積の分だけ発泡樹脂に密着する面積が広がるので、固着力が増加して品質を向上させることができる。また、スペーサ７の鍔部12にてねじの締付力を下面板５に伝えることで、下面板５への応力集中を防ぎ、締め過ぎによる下面板５の破損を防止でき、生産不良数を削減できる。また、スペーサ７を介して固着することで、位置決め具６の異形突隆部17の突隆方向への長さを、ねじ孔20の有効ねじ長さに必要な長さに確保できるので、充分な固着力を得ることができると共に、位置決め具６の異形突隆部17に長くねじ孔20を設けることで、突出部16にねじ孔20を確保する為の形状の規制が緩和され、突出部16の大きさや形状を自由に設定しやすくなり、意匠性が自由になる。
【００２２】
また、図８に示した、位置決め具６の他の実施の形態では、ねじ孔31は発泡樹脂の断熱層15に密着していないので、位置決め具６となる部材30が損傷した場合に修理や交換が容易におこなえる。また、図９に示した、位置決め具６の他の実施の形態では、ねじ部42は発泡樹脂の断熱層に密着していないので、位置決め具６となる部材40が損傷した場合に修理や交換が容易におこなえる。
【００２３】
また、上述のように蓋本体11が施蓋状態で開口上部端縁13に密に接触するように凹曲面状としているので、開口部上端縁13が隆起して、ヘッドレストや背もたれを形成した複雑な形状であても、垂直方向の隙間はできない。つまり、浴槽開口部を密閉し、浴槽内の湯を確実に保温するので追い焚きや熱湯の注ぎ足しの手間を軽減させると共に、エネルギー（電気またはガス）の節約がより確実にできる。また、上端縁13と密に接触することで、接触抵抗（摩擦抵抗）が増加し、ヘッドレスト部のような急傾斜部があっても滑らないので、浴槽蓋１が脱落して湯が汚れるのを防止し、無駄な清掃作業を削減できる。
【００２４】
また、突出部16の硬度を、浴槽10の開口部上端縁13の硬度よりも、低く設定しているので、位置決め具６の上端縁13に対する摩擦係数が増大し、かつ、位置決め具６の弾性変形に伴う接触面積増加と相俟って、浴槽蓋が浴槽10内へ脱落することを一層有効に防止できる。さらに、上端縁13の損傷も防止できる。
【図面の簡単な説明】
【００２５】
【図１】本発明の実施の一形態の使用状態を説明する斜視図である。
【図２】使用状態の断面図である。
【図３】要部断面斜視図である。
【図４】要部分解斜視図である。
【図５】発泡樹脂注入前の状態を示す要部組立断面斜視図である。
【図６】要部断面図である。
【図７】多種の実施例を示す平面図である。
【図８】他の実施例を示す説明図である。
【図９】他の実施例を示す説明図である。
【符号の説明】
【００２６】
１  浴槽蓋
２  表面
３  裏面
４  上面板
５  下面板
５ａ  上面
６  位置決め具
７  スペーサ
８  ねじ部材
９  周縁エッジモール
10  浴槽
11  蓋本体
12  鍔部
13  上端縁
14  貫孔
15  内部断熱層
16  突出部
17  突隆部
18  上面
19  上面
20  ねじ孔
【図１】
2008194087.tif 000003
【図２】
2008194087.tif 000004
【図３】
2008194087.tif 000005
【図４】
2008194087.tif 000006
【図５】
2008194087.tif 000007
【図６】
2008194087.tif 000008
【図７】
2008194087.tif 000009
【図８】
2008194087.tif 000010
【図９】
2008194087.tif 000011